(57)【要約】【課題】この発明は、電子番組表の表示が要求されたとき、最後に表示された日時に対応する部分を自動的に表示可能として、ユーザにとって効率の良い形態での番組表表示を行なうことを可能とした番組表表示装置及び番組表表示方法を提供することを目的としている。【解決手段】最後に表示された電子番組表が表示していた部分に対応する日時を示すラスト日時情報を記憶しておき、電子番組表の表示要求に応じて、記憶されたラスト日時情報で示される日時に対応した部分の電子番組表を自動的に表示させる。ラスト日時情報が記憶されていない場合、または、ラスト日時情報で示される日時が現在よりも過去である場合には、現在の日時に対応した部分の電子番組表を表示させる。【選択図】      図４
2006093993.tif 000002
【特許請求の範囲】
【請求項１】
番組情報を取得する取得手段と、
前記取得手段で取得した番組情報に基づいて電子番組表を作成する作成手段と、
前記作成手段で作成された電子番組表を部分的に切り換えて表示可能とする表示手段と、
前記表示手段に最後に表示された電子番組表が表示していた部分に対応する日時を示すラスト日時情報が記憶された記憶手段と、
前記電子番組表の前記表示手段への表示要求に応じて、前記記憶手段に記憶されたラスト日時情報で示される日時に対応した部分の電子番組表を前記表示手段に表示させる表示制御手段とを具備することを特徴とする番組表表示装置。
【請求項２】
前記表示制御手段は、前記記憶手段にラスト日時情報が記憶されていないとき、前記電子番組表の前記表示手段への表示要求に応じて、現在の日時に対応した部分の電子番組表を前記表示手段に表示させることを特徴とする請求項１記載の番組表表示装置。
【請求項３】
前記表示制御手段は、前記記憶手段に記憶されたラスト日時情報で示される日時が現在の日時よりも過去であるとき、前記電子番組表の前記表示手段への表示要求に応じて、現在の日時に対応した部分の電子番組表を前記表示手段に表示させることを特徴とする請求項１記載の番組表表示装置。
【請求項４】
前記記憶手段に記憶されたラスト日時情報で示される日時に対応した部分の電子番組表の表示から、現在の日時に対応した部分の電子番組表の表示に切り換える切換手段を具備することを特徴とする請求項２または３記載の番組表表示装置。
【請求項５】
前記記憶手段に記憶されたラスト日時情報で示される日時に対応した部分の電子番組表の表示と、現在の日時に対応した部分の電子番組表の表示とを選択的に切り換える切換手段を具備することを特徴とする請求項２または３記載の番組表表示装置。
【請求項６】
前記切換手段は、前記記憶手段に記憶されたラスト日時情報で示される日時に対応した部分の電子番組表の表示と、現在の日時に対応した部分の電子番組表の表示とを、交互に切換可能とする操作子を具備することを特徴とする請求項５記載の番組表表示装置。
【請求項７】
前記表示手段での電子番組表の表示の終了が要求されたとき、その終了要求の直前に電子番組表が表示していた部分に対応する日時を示すラスト日時情報を作成して、前記記憶手段に記憶させる記憶制御手段を具備することを特徴とする請求項１乃至６いずれかに記載の番組表表示装置。
【請求項８】
番組情報を取得する第１の工程と、
前記第１の工程で取得した番組情報に基づいて電子番組表を作成する第２の工程と、
前記第２の工程で作成された電子番組表の表示要求に応じて、最後に表示された電子番組表が表示していた部分に対応する日時を示すラスト日時情報を記憶手段から読み取る第３の工程と、
前記第３の工程で読み取ったラスト日時情報で示される日時に対応した部分の電子番組表を表示させる第４の工程とを具備することを特徴とする番組表表示方法。
【請求項９】
前記電子番組表の表示の終了が要求されたとき、その終了要求の直前に電子番組表が表示していた部分に対応する日時を示すラスト日時情報を作成して、前記記憶手段に記憶させる第５の工程を具備することを特徴とする請求項８記載の番組表表示方法。
【発明の詳細な説明】
【技術分野】
【０００１】
この発明は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところで、ＥＰＧ情報には、放送される多数のチャンネルのそれぞれに対して約１週間分もの電子番組表を作成可能な情報が含まれている。このため、デジタル放送受信装置においては、限られた画面内に全ての電子番組表を同時に表示させることはできないので、電子番組表を部分的に切り換えながら画面表示させることになる。この場合、いかにユーザにとって効率の良い形態で表示できるように工夫を施すかが重要となる。
【０００５】
特許文献１には、メインの電源がオフされたとき、その直前までに取得した番組情報を不揮発性メモリに記憶し、次に電源がオンされたときメモリに記憶されている番組情報を読み出して番組ガイドを表示する技術が開示されている。
【０００６】
また、特許文献２には、既に放送が終了した番組の番組セルを番組表に表示させないようにして、放送終了番組の番組セルにより番組表の限られた表示領域の相当な部分が占められることをなくし、ユーザの視認性、利便性を向上させる技術が開示されている。
【０００７】
さらに、特許文献３には、多チャンネル化された放送のＥＰＧ表示を行なう場合、ユーザが任意に指定した時間帯の番組情報を、スクロール機能を使用せずにダイレクトに表示させる技術が開示されている。
【特許文献１】特開２００２−１４２１６３号公報
【特許文献２】特開２００３−１６９２６７号公報
【特許文献３】特開平１１−３１３２６５号公報
【発明の開示】
【発明が解決しようとする課題】
【０００８】
そこで、この発明は上記事情を考慮してなされたもので、電子番組表の表示が要求されたとき、最後に表示された日時に対応する部分を自動的に表示可能として、ユーザにとって効率の良い形態での番組表表示を行なうことを可能とした番組表表示装置及び番組表表示方法を提供することを目的とする。
【課題を解決するための手段】
【０００９】
この発明に係る番組表表示装置は、番組情報を取得する取得手段と、取得手段で取得した番組情報に基づいて電子番組表を作成する作成手段と、作成手段で作成された電子番組表を部分的に切り換えて表示可能とする表示手段と、表示手段に最後に表示された電子番組表が表示していた部分に対応する日時を示すラスト日時情報が記憶された記憶手段と、電子番組表の表示手段への表示要求に応じて、記憶手段に記憶されたラスト日時情報で示される日時に対応した部分の電子番組表を表示手段に表示させる制御手段とを備えるようにしたものである。
【００１０】
また、この発明に係る番組表表示方法は、番組情報を取得する第１の工程と、第１の工程で取得した番組情報に基づいて電子番組表を作成する第２の工程と、第２の工程で作成された電子番組表の表示要求に応じて、最後に表示された電子番組表が表示していた部分に対応する日時を示すラスト日時情報を記憶手段から読み取る第３の工程と、第３の工程で読み取ったラスト日時情報で示される日時に対応した部分の電子番組表を表示させる第４の工程とを備えるようにしたものである。
【発明の効果】
【００１１】
上記した発明によれば、最後に表示された電子番組表が表示していた部分に対応する日時を示すラスト日時情報を記憶しておき、電子番組表の表示要求に応じて、記憶されたラスト日時情報で示される日時に対応した部分の電子番組表を自動的に表示させるようにしたので、ユーザにとって効率の良い形態での番組表表示を行なうことを可能とすることができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
図４は、このデジタルテレビジョン放送受信装置１１が電子番組表を表示する動作を説明するためのフローチャートを示している。この動作は、ユーザがリモートコントローラ１７の番組表キー１７ｈを操作することにより開始（ステップＳ４ａ）される。
【００４５】
すなわち、制御部６１は、ステップＳ４ｂで、リモートコントローラ１７の番組表キー１７ｈが操作されたことを検知すると、ステップＳ４ｃで、最後に表示された電子番組表が何日のどの時間帯の番組を表示したか、つまり、最後に表示された電子番組表が表示していた部分に対応する日時を示すラスト日時情報が、不揮発性メモリ６４に記憶されているか否かを判別する。
【００４６】
そして、ステップＳ４ｃでラスト日時情報が不揮発性メモリ６４に記憶されていないと判断された場合（ＮＯ）、制御部６１は、ステップＳ４ｄで、映像表示器１４に現在の日時と現在選局しているチャンネルとを含む部分の電子番組表を表示させ、処理を終了（ステップＳ４ｇ）する。
【００４７】
また、上記ステップＳ４ｃでラスト日時情報が不揮発性メモリ６４に記憶されていると判断された場合（ＹＥＳ）、制御部６１は、ステップＳ４ｅで、不揮発性メモリ６４からラスト日時情報を読み取り、その読み取ったラスト日時情報で示される日時が現在時刻よりも過去になっているか否かを判別する。
【００４８】
そして、ラスト日時情報で示される日時が現在時刻よりも過去になっていると判断された場合（ＹＥＳ）、制御部６１は、ステップＳ４ｄの処理に移行し、映像表示器１４に現在の日時と現在選局しているチャンネルとを含む部分の電子番組表を表示させ、処理を終了（ステップＳ４ｇ）する。
【００４９】
また、上記ステップＳ４ｅでラスト日時情報で示される日時が現在時刻よりも過去になっていないと判断された場合（ＮＯ）、制御部６１は、ステップＳ４ｆで、映像表示器１４にラスト日時情報で示される日時と現在選局しているチャンネルとを含む部分の電子番組表を表示させ、処理を終了（ステップＳ４ｇ）する。
【００５０】
図５は、上記ステップＳ４ｆの処理によって映像表示器１４に表示された電子番組表の一例を示している。この例では、現在選局しているチャンネル番号が１４１で、現在日時が１０月１４日（水）午前９時１３分であり、不揮発性メモリ６４に記憶されたラスト日時情報で示される日時が１０月１８日（日）午後６時である場合を示している。
【００５１】
すなわち、この電子番組表は、ラスト日時情報で示される１０月１８日（日）に放送予定の番組のうち、ラスト日時情報で示される午後６時の時間帯と、現在選局しているチャンネル１４１とが画面のほぼ中央となるようにして表示される。
【００５２】
ここで、この電子番組表は、水平方向に６つの放送局（チャンネル）を配列し、垂直方向に５時間分の時間枠を配列して、番組を表示している。そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。
【００５３】
すなわち、この電子番組表は、６つの放送局（チャンネル）に対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００５４】
この場合、例えば、表示欄Ｄ〜Ｆに示すように、同じ放送局が複数（図示の場合は３つ）のチャンネル番号を有する場合には、３つの放送局名表示領域Ｄ２〜Ｆ２が１つの共通の放送局名表示領域として使用される。
【００５５】
また、同じ放送局が複数（図示の場合は３つ）のチャンネル番号でそれぞれ同じ番組を放送する、いわゆるイベント共有が行なわれている時間帯では、３つの番組表示領域Ｄ３〜Ｆ３が１つの共通の番組表示領域として使用される。
【００５６】
さらに、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。図５に示す画面では表示されていないが、選択されている番組「Ｊ２」は、表示欄Ａ〜Ｆ内において、その番組の表示領域が他の番組の表示領域と色を変えて表示されるが、後述する図７では、ハッチングで囲むことにより表現している。
【００５７】
また、この電子番組表では、その左右に、上から下に向けて１時間毎の時間枠を示す５つの時間領域Ｎ１〜Ｎ５が設けられている。図５では、各時間領域Ｎ１〜Ｎ５が、それぞれ午後４時〜午後８時に対応している状態を示している。
【００５８】
上記した実施の形態によれば、番組表キー１７ｈが操作されたとき、不揮発性メモリ６４に記憶されたラスト日時情報に基づいて、最後に表示させた電子番組表に表示された日時に対応した部分の電子番組表が自動的に表示されるようにしたので、ユーザにとって効率の良い形態での番組表表示を行なうことができる。
【００５９】
すなわち、ユーザが１日の中で番組を視聴する時間は大抵決まっており、このために、電子番組表で番組を確認するのも大抵は決まった時間帯となる。このようなユーザにとって、表示を要求したときに現在の時間帯を含む電子番組表が自動表示される現行の番組表表示手段では、電子番組表を表示させる毎に、日頃視聴する時間帯に切り換える操作が必要となり、取り扱いが煩雑なものである。
【００６０】
これに対し、ラスト日時情報に基づいて、最後に表示させた電子番組表に表示された日時に対応した部分の電子番組表が自動的に表示されるようにしたことにより、ユーザが電子番組表を表示させたときに、日頃視聴する時間帯の電子番組表が自動的に表示されることになり、非常に便利となる。
【００６１】
また、ラスト日時情報で示される日時が現在時刻よりも過去になっている場合には、現在の日時に基づいて電子番組表を表示させるようにしているので、既に過去となった番組表が無意味に表示されることを防止することができる。
【００６２】
図６は、このデジタルテレビジョン放送受信装置１１が電子番組表を表示する他の動作を説明するためのフローチャートを示している。この動作は、ユーザがリモートコントローラ１７の番組表キー１７ｈを操作することにより開始（ステップＳ６ａ）される。
【００６３】
すなわち、制御部６１は、ステップＳ６ｂで、リモートコントローラ１７の番組表キー１７ｈが操作されたことを検知すると、ステップＳ６ｃで、前述したように、ラスト日時情報で示される日時と現在選局しているチャンネルとを含む部分の電子番組表を表示させる。
【００６４】
このように、ラスト日時情報に基づいた電子番組表の表示が行なわれている状態で、制御部６１は、ステップＳ６ｄで、リモートコントローラ１７の青色のカラーキー１７ｍが操作されたことを検知すると、ステップＳ６ｅで、現在の日時と現在選局しているチャンネルとを含む部分の電子番組表を表示するように切り換えて、処理を終了（ステップＳ６ｆ）する。
【００６５】
上記の動作によれば、ラスト日時情報での電子番組表の表示状態から、青色のカラーキー１７ｍを操作するだけで、スクロールやページ切り換えを行なうことなく、現在の日時の電子番組表に直接的に切り換えることができるので、ユーザにとって取り扱いを便利にすることができる。
【００６６】
また、逆に、現在の日時での電子番組表の表示状態で、青色のカラーキー１７ｍを操作することにより、ラスト日時情報に基づいた電子番組表の表示に直接的に切り換えることも可能である。すなわち、青色のカラーキー１７ｍを操作する毎に、ラスト日時情報での電子番組表の表示と、現在の日時での電子番組表の表示とを交互に切り換えることも可能となる。
【００６７】
図７は、現在の日時に基づいて表示された電子番組表の一例を示している。そして、この例では、現在選局しているチャンネル番号が１４１で、現在日時が１０月１４日（水）午前９時１３分である場合を示している。
【００６８】
現在の日時に基づいて表示された電子番組表の場合、現在選局しているチャンネルは画面のほぼ中央に表示されるが、その左右に設けられた時間領域Ｎ１〜Ｎ５は、それぞれ午前９時〜午後１時に対応している。
【００６９】
すなわち、現在時刻が午前９時１３分であるため、午前９時より過去の時間帯は表示する必要がないので、現在時刻を含む時間帯が電子番組表の上で一番先頭に表示されることになる。このため、現在時刻が午前１０時になると、各時間領域Ｎ１〜Ｎ５が、それぞれ午前１０時〜午後２時に対応するように切り換えられる。
【００７０】
なお、上記した図４及び図６の説明において、電子番組表の表示が要求されたとき、ラスト日時または現在の日時で、現在選局しているチャンネルを含む部分の電子番組表を表示することについて述べたが、これに限らず、例えば、最後に表示された電子番組表が表示していた部分に対応するチャンネルを示すラストチャンネル情報を不揮発性メモリ６４に記憶しておき、このラストチャンネルを含む部分の電子番組表を表示するようにしても良いものである。要するに、電子番組表の表示が要求されたときに表示されるチャンネルは、現在選局しているチャンネルに限るものではないということである。
【００７１】
図８は、ラスト日時情報を不揮発性メモリ６４に記憶させる動作を説明するためのフローチャートを示している。この動作は、ユーザがリモートコントローラ１７の番組表キー１７ｈを操作することにより開始（ステップＳ８ａ）される。すると、制御部６１は、ステップＳ８ｂで、ラスト日時情報または現在の日時に基づいて電子番組表を作成し、映像表示器１４に表示させる。
【００７２】
その後、制御部６１は、ステップＳ８ｃで、電子番組表の表示を終了させる要求を検知すると、ステップＳ８ｄで、表示終了要求の直前に表示していた電子番組表が表示していた日時を示すラスト日時情報を生成し、不揮発性メモリ６４に記憶させて、処理を終了（ステップＳ８ｅ）する。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７４】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置が電子番組表を表示する動作を説明するために示すフローチャート。
【図５】同実施の形態におけるデジタルテレビジョン放送受信装置で表示される電子番組表の一例を説明するために示す図。
【図６】同実施の形態におけるデジタルテレビジョン放送受信装置が電子番組表を表示する他の動作を説明するために示すフローチャート。
【図７】同実施の形態におけるデジタルテレビジョン放送受信装置で表示される電子番組表の他の例を説明するために示す図。
【図８】同実施の形態におけるデジタルテレビジョン放送受信装置がラスト日時情報を記憶する動作を説明するために示すフローチャート。
【符号の説明】
【００７５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006093993.tif 000003
【図２】
2006093993.tif 000004
【図３】
2006093993.tif 000005
【図４】
2006093993.tif 000006
【図５】
2006093993.tif 000007
【図６】
2006093993.tif 000008
【図７】
2006093993.tif 000009
【図８】
2006093993.tif 000010